(57)【特許請求の範囲】
【請求項１】
画像データを印刷するプリンタと、
前記プリンタと接続し、前記プリンタのステータス情報を前記プリンタから受信するステータス情報受信手段と、画像データを入力する画像入力手段と、前記画像データの印刷注文の入力を受け付ける注文受付手段と、を備えた受付端末と、
前記受付端末に接続され、前記印刷注文の受け付けに応じて、前記プリンタのステータス情報を印刷して出力するステータス情報印刷装置と、
を具備することを特徴とする画像プリントシステム。
【請求項２】
前記ステータス情報印刷装置は、前記プリンタのステータス情報を前記印刷注文の内容とともにレシートとして印刷することを特徴とする請求項１に記載の画像プリントシステム。
【請求項３】
前記ステータス情報印刷装置は、前記プリンタのステータス情報を暗号化したものを印刷することを特徴とする請求項１または請求項２のいずれかに記載の画像プリントシステム。
【請求項４】
前記印刷されたステータス情報を読み取る読取手段を具備するレジ端末を更に含むことを特徴とする請求項１から請求項３のいずれかに記載の画像プリントシステム。
【請求項５】
前記プリンタのステータス情報は、前記プリンタのメディア残数、エラーステータスの少なくともいずれかを有することを特徴とする請求項１から請求項４のいずれかに記載の画像プリントシステム。
【請求項６】
画像データを印刷するプリンタと接続する受付端末であって、
前記プリンタのステータス情報を前記プリンタから受信するステータス情報受信手段と、
画像データを入力する画像入力手段と、
前記画像データの印刷注文の入力を受け付ける注文受付手段と、
印刷注文の受け付けに応じて、前記プリンタのステータス情報を印刷して出力するステータス情報印刷手段と、
を具備することを特徴とする受付端末。
【請求項７】
前記ステータス情報印刷手段は、前記プリンタのステータス情報を前記印刷注文の内容とともにレシートとして印刷することを特徴とする請求項６に記載の受付端末。
【請求項８】
前記ステータス情報印刷手段は、前記プリンタのステータス情報を暗号化したものを印刷することを特徴とする請求項６または請求項７のいずれかに記載の受付端末。
【請求項９】
前記プリンタのステータス情報は、前記プリンタのメディア残数、エラーステータスの少なくともいずれかを有することを特徴とする請求項６から請求項８のいずれかに記載の受付端末。
【請求項１０】
画像データを印刷するプリンタと、前記プリンタと接続する受付端末と、前記受付端末に接続されるステータス情報印刷装置と、を具備する画像プリントシステムにおける画像プリント受付方法であって、
前記受付端末が、
前記プリンタのステータス情報を前記プリンタから受信するステータス情報受信ステップと、
画像データを入力する画像入力ステップと、
前記画像データの印刷注文の入力を受け付ける注文受付ステップと、
を実行し、
前記ステータス情報印刷装置が、
前記印刷注文の受け付けに応じて、前記プリンタのステータス情報を印刷して出力するステータス情報印刷ステップを実行することを特徴とする画像プリント受付方法。
【請求項１１】
前記ステータス情報印刷ステップでは、前記プリンタのステータス情報を前記印刷注文の内容とともにレシートとして印刷することを特徴とする請求項１０に記載の画像プリント受付方法。
【請求項１２】
前記ステータス情報印刷ステップでは、前記プリンタのステータス情報を暗号化したものを印刷することを特徴とする請求項１０または請求項１１のいずれかに記載の画像プリント受付方法。
【発明の詳細な説明】
【技術分野】
【０００１】
本発明は、利用者が所持するメディアに記憶されている画像データを印刷するプリントシステム、特に、プリンタ等の状態を確認容易とする画像プリントシステム、受付端末、画像プリント受付方法に関する。
【背景技術】
【０００２】
近年、利用者が持ち込んだ記録媒体に記録されているデジタルカメラ等の画像データを印刷するための、店舗に設置することが可能な比較的小規模の画像プリントシステムが実用化されている。
【０００３】
その例が特許文献１に開示されているプリントシステムであり、利用者がオーダー受付端末からオーダー情報を入力すると、オーダー受付端末がオーダーＩＤを割り当ててバーコードを生成し、レシートに印刷して出力する。利用者が、プリント処理装置にこのレシートのバーコードを読み取らせると、プリント処理装置がバーコードからオーダーＩＤを取得し、プリントの実行指示をオーダー管理装置に送信し、オーダー管理装置がプリンタによるプリントを実行する。
【先行技術文献】
【特許文献】
【０００４】
【特許文献１】特開２００９−１８１３０４号公報
【発明の開示】
【発明が解決しようとする課題】
【０００５】
従来の画像プリントシステムでは、店員のいるカウンタと、画像データを印刷するプリンタや注文を受け付ける受付端末との位置が離れており、プリンタなどの状態を確認するにはその配置場所まで移動しなければならない場合がある。この場合、店員がプリンタなどの状態を確認することが面倒である。
そのため、例えば、プリンタ等の状態をメールにて店員に送信したり、あるいは、プリンタ等の状態を表示するための表示灯を取り付けたりするという方法が考えられる。しかし、メール送信を行うためにはメール送信のためのソフトウエアを実装する必要がある上、メール送信のための通信費が発生する。また、表示灯を取り付ける場合も、表示灯を制御するためのソフトウエアを組み込み、表示灯を別途容易する必要があるため、費用がかかってしまうという問題がある。
【０００６】
本発明は、このような問題に鑑みてなされたもので、その目的とするところは、画像データを印刷するプリンタ等の状態を確認容易とする画像プリントシステム等を提供することである。
【課題を解決するための手段】
【０００７】
前述した目的を達するための第１の発明は、画像データを印刷するプリンタと、前記プリンタと接続し、前記プリンタのステータス情報を前記プリンタから受信するステータス情報受信手段と、画像データを入力する画像入力手段と、前記画像データの印刷注文の入力を受け付ける注文受付手段と、を備えた受付端末と、前記受付端末に接続され、前記印刷注文の受け付けに応じて、前記プリンタのステータス情報を印刷して出力するステータス情報印刷装置と、を具備することを特徴とする画像プリントシステムである。
【０００８】
かかる構成により、受付端末による印刷の受付に応じて、ステータス情報印刷装置によりプリンタのステータス情報を印刷する。画像プリントシステムにおいては、例えばユーザがこれを店員に提示して料金の支払い等を行ったり、店員側のレジ端末でステータス情報を印刷させるものとすることにより、店員は受付端末やプリンタまで移動することなくプリンタの状態を確認することができ、プリンタの状態を容易に把握できる。
【０００９】
前記ステータス情報印刷装置は、前記プリンタのステータス情報を前記印刷注文の内容とともにレシートとして印刷する。これにより、ユーザがレシートを店員に提示して印刷料金の支払いなど行うシステムにおいて、プリンタの状態を容易に把握できる。
【００１０】
前記ステータス情報印刷装置は、前記プリンタのステータス情報を暗号化したものを印刷する。これにより、利用者にプリンタの状態が知られることがない。
【００１１】
第１の発明の画像プリントシステムは、前記印刷されたステータス情報を読み取る読取手段を具備するレジ端末を更に含む。これにより、店員がステータス情報をレジ端末で読み取って当該ステータス情報を表示等させることができ、容易にプリンタの状態が把握できる。
【００１２】
前記プリンタのステータス情報は、前記プリンタのメディア残数、エラーステータスの少なくともいずれかを有する。これにより、メディア切れやプリンタエラー等の状態が容易に把握でき、プリンタの保守管理に役立つ。
【００１３】
前述した目的を達するための第２の発明は、画像データを印刷するプリンタと接続する受付端末であって、前記プリンタのステータス情報を前記プリンタから受信するステータス情報受信手段と、画像データを入力する画像入力手段と、前記画像データの印刷注文の入力を受け付ける注文受付手段と、印刷注文の受け付けに応じて、前記プリンタのステータス情報を印刷して出力するステータス情報印刷手段と、を具備することを特徴とする受付端末である。
【００１４】
前記ステータス情報印刷手段は、前記プリンタのステータス情報を前記印刷注文の内容とともにレシートとして印刷する。
また、前記ステータス情報印刷手段は、前記プリンタのステータス情報を暗号化したものを印刷する。
前記プリンタのステータス情報は、前記プリンタのメディア残数、エラーステータスの少なくともいずれかを有する。
【００１５】
前述した目的を達するための第３の発明は、画像データを印刷するプリンタと、前記プリンタと接続する受付端末と、前記受付端末に接続されるステータス情報印刷装置と、を具備する画像プリントシステムにおける画像プリント受付方法であって、前記受付端末が、前記プリンタのステータス情報を前記プリンタから受信するステータス情報受信ステップと、画像データを入力する画像入力ステップと、前記画像データの印刷注文の入力を受け付ける注文受付ステップと、を実行し、前記ステータス情報印刷装置が、前記印刷注文の受け付けに応じて、前記プリンタのステータス情報を印刷して出力するステータス情報印刷ステップを実行することを特徴とする画像プリント受付方法である。
【００１６】
前記ステータス情報印刷ステップでは、前記プリンタのステータス情報を前記印刷注文の内容とともにレシートとして印刷する。
また、前記ステータス情報印刷ステップでは、前記プリンタのステータス情報を暗号化したものを印刷する。
【発明の効果】
【００１７】
本発明により、画像データを印刷するプリンタ等の状態を確認容易とする画像プリントシステム等を提供することができる。
【図面の簡単な説明】
【００１８】
【図１】第１の実施形態の画像プリントシステム１のシステム構成図
【図２】受付端末３の外観斜視図
【図３】受付端末３のハードウエア構成図
【図４】受付端末３の機能構成を示す図
【図５】プリント端末５の外観斜視図
【図６】プリント端末５のハードウエア構成図
【図７】レジ端末７のハードウエア構成図
【図８】受付端末３における処理の流れを示すフローチャート
【図９】第１レシート１１の一例を示す図
【図１０】レジ端末７における処理の流れを示すフローチャート
【図１１】第２レシート１３の一例を示す図
【図１２】第２レシート１３ａの一例を示す図
【図１３】プリント端末５における処理の流れを示すフローチャート
【図１４】メニュー画面３００の一例を示す図
【図１５】メニュー画面３００ａの一例を示す図
【図１６】画像プリントシステム１の変形例を示すシステム構成図
【図１７】第２の実施形態の画像プリントシステム２のシステム構成図
【図１８】注文受付プリント端末６の外観斜視図
【図１９】注文受付プリント端末６のハードウエア構成図
【発明を実施するための形態】
【００１９】
以下、添付図面を参照しながら、本発明の実施の形態について詳細に説明する。
最初に、図１から図１５を参照しながら、第１の実施の形態の画像プリントシステムについて説明する。
【００２０】
図１は、第１の実施形態の画像プリントシステム１のシステム構成図である。
店舗等に設置される画像プリントシステム１は、１または複数の受付端末３、１または複数のプリント端末５（プリンタ）、レジ端末７を有する。受付端末３とプリント端末５は、ネットワークにより接続される。
【００２１】
受付端末３は、利用者のプリント物印刷の注文受付を行う。受付端末３は、利用者が持参する各種の記録媒体から画像データを取得し、印刷する画像データや印刷サイズ、枚数等の利用者による注文を受け付け、印刷が注文された画像データを注文識別情報や印刷サイズや枚数等の注文情報とともにプリント端末５に転送する。また、徴収金額及び注文内容と共に、注文識別情報と、プリント端末５と受付端末３のステータス情報を表すバーコード等を印刷した第１レシート１１を出力する。
さらに、受付端末３は、プリント端末５から、プリンタのエラーステータス、メディア残数、紙詰まり、リボン切れ、カッタによる用紙の切断不良等のプリンタステータス情報を適宜あるいは所定の間隔で受信する。
【００２２】
レジ端末７は、料金支払いのためのカウンタ等に設置される。店員は、利用者から第１レシート１１を受け取って課金処理を行い、第１レシート１１上のバーコードをレジ端末７に装備されるバーコードリーダにかざすと、レジ端末７はバーコードを読み取り、プリント端末５や受付端末３のステータス情報を表示する。
また、レジ端末７は、第１レシート１１のバーコードから注文識別情報も読み取り、これに基づき、利用者のプリント物を受け取るために必要な注文識別情報をバーコードとして第２レシート１３に印刷して出力する。
【００２３】
プリント端末５は、利用者が注文したプリント物の印刷を行う。利用者が第２レシート１３をプリント端末５に装備されるバーコードリーダにかざすと、プリント端末５は第２レシート１３上のバーコードから注文識別情報を読み取り、当該注文識別情報に応じて、受付端末３から受信した画像データをプリンタで印刷する。
プリント端末５は、プリンタステータス情報を適宜あるいは所定の間隔で受付端末３に送信する。
【００２４】
図２は、受付端末３の外観斜視図である。
図２に示すように、受付端末３の上部正面には、タッチパネル付ディスプレイ２１が配置されている。タッチパネル付ディスプレイ２１は、操作の案内、操作の状況、利用者が持参したメディアから読み込んだ画像データ等を表示するとともに、利用者からの指示を受け付ける。利用者は、タッチパネル付ディスプレイ２１を介して、印刷注文する画像データや印刷サイズ、印刷枚数等の選択、あるいは画像データの画像処理の指示等を行う。
【００２５】
タッチパネル付ディスプレイ２１の下部には、メディア挿入口２２、レシート取出口２３が設けられる。
メディア挿入口２２は、各種メディア（スマートメディア、コンパクトフラッシュ（登録商標）、ミニＳＤ（ｓｅｃｕｒｅ  ｄｉｇｉｔａｌ）カード、ＳＤメモリカード、メモリスティック、コンパクトディスク等）の挿入口であり、複数の挿入口が１箇所にまとめて配置されている。また、受付端末３の筐体内には、各種メディアの挿入口に対応して、各種メディアの読取部が設置されている。
また、レシート取出口２３からは、徴収金額や注文内容、バーコード等が印刷された第１レシート１１が出力される。受付端末３の筐体内には、レシート取出口２３に対応して、レシートプリンタが設けられている。
【００２６】
図３は、受付端末３のハードウエア構成図である。
受付端末３は、制御部３１、記憶部３２、入出力部３３、通信部３４、各種メディア読取部３５、表示部３６、レシートプリンタ３７等がバス３８を介して接続される。
【００２７】
制御部３１は、プログラムの実行を行うＣＰＵ（ｃｅｎｔｒａｌ  ｐｒｏｃｅｓｓｉｎｇ  ｕｎｉｔ）と、プログラム命令あるいはデータ等を格納するためのＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）等で構成される。制御部３１は、記憶部３２等に格納されたプログラムやデータに従って、バス３８を介して接続された各装置を制御する。
【００２８】
記憶部３２には、制御部３１が実行するプログラム、プログラム実行に必要なデータ、ＯＳ（Ｏｐｅｒａｔｉｎｇ  Ｓｙｓｔｅｍ）等が格納される。プログラムは、例えば、画像入力プログラム、レシート印刷処理プログラム、保守プログラム等である。データは、例えば、画像データ、プリント端末５や受付端末３のステータス情報等である。
【００２９】
入出力部３３は、ＣＤ−ＲＯＭドライブ装置、キーボード、マウス等であり、記憶部３２に格納されているプログラム等の更新や設定等を行うメンテナンス時に用いられる。
通信部３４は、通信制御装置、通信ポート等を有する、ネットワークを介した受付端末３とプリント端末５間の通信を媒介する通信インタフェースである。通信部３４は、ネットワークを介して、受付端末３とプリント端末５間の通信制御を行う。
【００３０】
各種メディア読取部３５は、利用者が持参した各種メディアに予め記憶されている画像データを読み込む。
表示部３６は、タッチパネル付ディスプレイ２１である。表示部３６は、利用者に対して、操作案内等を表示する。
レシートプリンタ３７は、レシート取出口２３に対応して受付端末３の内部に設けられ、第１レシート１１の印刷を行う。
【００３１】
図４は、受付端末３の機能構成を示す図である。
受付端末３は、ステータス情報受信手段７１、画像入力手段７２、注文受付手段７３、ステータス情報印刷手段７４を有し、記憶部３２に、画像データ７５、プリンタステータス情報７６、受付端末ステータス情報７７等を記憶する。
【００３２】
ステータス情報受信手段７１は、受付端末３の制御部３１が、プリント端末５から、プリンタのエラーステータス、メディア残数、紙詰まり、リボン切れ、カッタによる用紙の切断不良等のプリンタステータス情報７６を適宜あるいは所定の間隔で受信して記憶部３２に記憶するとともに、受付端末３の各部から受付端末ステータス情報７７を適宜あるいは所定の間隔で受信して記憶部３２に記憶するものである。受付端末ステータス情報７７としては、例えば各種メディア読取部３５よりドライブエラー情報を受信する。
画像入力手段７２は、受付端末３の制御部３１が、利用者が持参した各種メディアに予め記憶されている画像データを読み込むことにより、画像データ７５を入力し、記憶部３２に記憶するものである。
注文受付手段７３は、受付端末３の制御部３１が、タッチパネル付ディスプレイ２１等を介した利用者による印刷注文の入力を受け付け、印刷注文に注文識別情報を割り当て、印刷する画像データ、注文識別情報、印刷サイズや印刷枚数の注文情報などをプリント端末５に送信するものである。
ステータス情報印刷手段７４は、受付端末３の制御部３１が、印刷注文の受付に応じて、プリンタステータス情報７６と受付端末ステータス情報７７をレシートプリンタ３７（ステータス情報印刷装置）に送りバーコードに暗号化（符号化）して注文内容などとともにレシートに印刷するものである。
【００３３】
画像データ７５は利用者が持参した各種メディアから読み込んだ画像データ等である。
プリンタステータス情報７６は、プリント端末５の状態を表すデータであり、プリンタの故障を示すエラーステータス、印刷用のメディア切れなどのメディア残数、紙詰まり、リボン切れ等の情報を有する、プリンタのステータス情報である。
受付端末ステータス情報７７は、受付端末３の状態を示すデータであり、受付端末３のドライブエラー等の不具合に関する情報を有する、受付端末３のステータス情報である。
【００３４】
図５はプリント端末５の外観斜視図である。
プリント端末５の上部正面には、タッチパネル付ディスプレイ４１が配置される。タッチパネル付ディスプレイ４１は、操作の案内や操作の状況を表示するとともに、利用者がタッチパネルに触れることにより、各種の入力を行うことができる。
【００３５】
プリント端末５の上部には、タッチパネル付ディスプレイ４１の他バーコードリーダ４２が設けられている。バーコードリーダ４２はレジ端末７によって第２レシート１３上に印刷されるバーコードを読み込む。プリント端末５は、バーコードに含まれる、プリント物を受け取るために必要な注文識別情報に基づき注文に対応する画像データを印刷する。
【００３６】
プリント端末５の下段部では、プリント物取出口４３、ドア開閉キー４４、メンテナンスキー４５等が筐体に配置されている。
筺体の下部にはプリント物取出口４３が設けられる。プリント物取出口４３から印刷済みのプリント物が出力される。通常、プリント端末５の筺体内には、複数枚の画像プリントを同時に行えるように複数のプリンタ（図示しない）が設置されるが、各プリンタから出力されるプリント物はプリント端末５の下部に設けられた１つのプリント物取出口４３に集められ、利用者がまとめて取り出せるようになっている。
【００３７】
ドア開閉キー４４は、プリント端末５の下段部全体の扉の開閉キーであり、筺体内部に設けられている各種の装置のメンテナンス等を行う際に使用される。
メンテナンスキー４５は、利用者がプリント端末５を利用する際の運転モードと、管理者がプリント端末５のメンテナンスや設定等を行う管理モードを切り替えるキーである。
【００３８】
また、プリント端末５の筺体内には、図示しないが、プリント端末５の各構成部分を制御するための制御部を含むパーソナルコンピュータや、電圧の変換を行う電源ボックス、停電時に制御部のＣＰＵやハードディスク等の破損を防ぐ無停電電源装置等が設けられる。
【００３９】
図６は、プリント端末５のハードウエア構成図である。
プリント端末５は、制御部５１、記憶部５２、入出力部５３、通信部５４、表示部５５、バーコードリーダ５６、プリンタ５７等がバス５８を介して接続される。
【００４０】
制御部５１は、ＣＰＵ、ＲＡＭ、ＲＯＭ等で構成され、記憶部５２に格納されたプログラムやデータに従って、バス５８を介して接続された各装置を駆動制御する。
記憶部５２には、制御部５１が実行する、プリンタ制御用プログラムや保守プログラム等のプログラムや、プログラム実行に必要な各種制御データ等のデータが格納されている。
【００４１】
入出力部５３は、ＣＤ−ＲＯＭドライブ装置、キーボード、マウス等であり、記憶部５２に格納されているプログラム等の更新や設定等を行うメンテナンス時に用いられる。
通信部５４は、ネットワークを介して受付端末３と接続・通信するものであり、通信制御装置、通信ポート等を有し、ネットワークの通信制御処理を実行する。
【００４２】
表示部５５は、タッチパネル付ディスプレイ４１である。表示部５５は、利用者に対して、操作案内等を表示する。
バーコードリーダ５６は、第２レシート１３上に印刷されたバーコードを読み取る。
プリンタ５７はプリント端末５の筺体内に設置され、例えば、画像データを印刷するためのプリンタ複数台よりなる。これにより、利用者が指定した複数枚の画像プリントを複数台のプリンタで同時に実行し、全体としての印刷時間を短縮して、利用者の待ち時間を減らすことが可能になる。
【００４３】
図７は、レジ端末７のハードウエア構成図である。
レジ端末７は、制御部６１、記憶部６２、入出力部６３、通信部６４、表示部６５、バーコードリーダ６６、レシートプリンタ６７等がバス６８を介して接続される。
【００４４】
制御部６１は、ＣＰＵ、ＲＡＭ、ＲＯＭ等で構成され、記憶部６２に格納されたプログラムに従って、バス６８を介して接続された各装置を駆動制御する。
記憶部６２には、各構成部分を駆動制御するプログラムや、各種制御データ等が格納されている。
【００４５】
入出力部６３は、ＣＤ−ＲＯＭドライブ装置、キーボード、マウス等であり、記憶部６２に格納されているプログラム等の更新や設定等を行うメンテナンス時に用いられる。
通信部６４は、ネットワークを介した通信制御装置、通信ポート等を有する、ネットワークを介した通信を媒介する通信インタフェースである。
【００４６】
表示部６５には、レジ端末７を利用する店員等に対して、徴収金額や、第１レシート１１上のバーコードから読み取ったプリント端末５や受付端末３のステータス情報等が表示される。
バーコードリーダ６６は、第１レシート１１上に印刷されたバーコードを読み取る読取手段である。
レシートプリンタ６７は、レジ端末７の内部に設けられ、第２レシート１３の印刷を行う。
【００４７】
次に、図８から図１５を参照しながら、第１の実施形態の画像プリントシステム１における処理の流れについて説明する。
【００４８】
図８は、受付端末３における処理の流れを示すフローチャートである。
受付端末３の制御部３１は、プリント端末５からプリンタステータス情報７６を受信するとともに、受付端末３の各部より受付端末ステータス情報７７を受信し、記憶部３２に記憶する（ステップＳ１０１）。
【００４９】
また、利用者が受付端末３のメディア挿入口２２に持参したメディアを挿入すると、受付端末３の制御部３１はメディアから画像データ７５を取得する（ステップＳ１０２）。
【００５０】
受付端末３の制御部３１は、注文画面（図示しない）をタッチパネル付ディスプレイ２１に表示し、印刷する画像データや、印刷サイズ、プリント枚数等の印刷注文の入力を利用者より受け付ける（ステップＳ１０３）。
【００５１】
印刷注文の受付後、受付端末３の制御部３１は受け付けた印刷注文に注文識別情報を割り当て、印刷する画像データを注文識別情報や印刷サイズ、プリント枚数等の注文情報とともにプリント端末５に転送する（ステップＳ１０４）。
【００５２】
さらに、受付端末３の制御部３１はレシートプリンタ３７を稼動して第１レシート１１を印刷し、レシート取出口２３から出力する（ステップＳ１０５）。
【００５３】
図９は、第１レシート１１の一例を示す図である。
第１レシート１１としては、注文の内容、徴収金額に加え、プリント物を受け取るために必要な注文識別情報と、受付端末３の記憶部３２に保持されているプリンタステータス情報７６、受付端末ステータス情報７７等のステータス情報を、レシートの下部にバーコード１５として印刷する。また、第１レシート１１を受け取った利用者に対して、カウンタでの料金支払い手続きの案内を印刷するようにしてもよい。
【００５４】
第１レシート１１の出力の終了により、利用者の１回の注文について、受付端末３の処理が終了する。受付端末３は、稼働を終了するまで（ステップＳ１０６のＮｏ）、次の利用者の注文を待ち、受付端末３の稼働の終了（ステップＳ１０６のＹｅｓ）に伴い、処理を終了する。
【００５５】
図１０は、レジ端末７における処理の流れを示すフローチャートである。
利用者がカウンタに第１レシート１１を持参すると、店員は第１レシート１１に表示された徴収金額に従って課金処理を行い（ステップＳ２０１）、第１レシート１１上のバーコード１５をレジ端末７のバーコードリーダ６６にかざすと、レジ端末７の制御部６１はバーコード１５を読み取り、プリント端末５や受付端末３のステータス情報を表示部６５に表示する（ステップＳ２０２）。店員は、表示されたプリント端末５や受付端末３のステータス情報により、プリント端末５におけるメディア残数や、エラー発生等、または受付端末３のドライブエラー等を確認することができる。
【００５６】
レジ端末７の制御部６１は、領収金額等と、第１レシート１１のバーコード読み取りにより得た注文識別情報を、第２レシート１３としてレシートプリンタ６７で印刷する（ステップＳ２０３）。
【００５７】
図１１は、第２レシート１３を示す図である。
第２レシート１３には、注文識別情報がバーコード１７として印刷される。また、プリント物の受け取り方の案内を表示してもよい。
【００５８】
なお、第２レシート１３に印刷する注文識別情報としては、これに限ることはない。図１２は、第２レシート１３の別の例を示す図である。
この第２レシート１３ａでは、レシートの下部にプリント受取用のパスワード１９が注文識別情報として印刷される。
【００５９】
第２レシート１３の出力の終了により、利用者の１回の注文について、レジ端末７の処理が終了する。レジ端末７は、稼働を終了するまで（ステップＳ２０４のＮｏ）、次の利用者の課金を待ち、レジ端末７の稼働の終了（ステップＳ２０４のＹｅｓ）に伴い、処理を終了する。
【００６０】
図１３は、プリント端末５における処理の流れを示すフローチャートである。
プリント端末５の制御部５１は、受付端末３がネットワークを介して送信した画像データを、注文識別情報、注文情報とともに受信し、これらを関連付けて記憶部５２に格納する（ステップＳ３０１）。
【００６１】
プリント端末５の制御部５１は、印刷を行う利用者に対し、注文識別情報の入力を促すメニュー画面をタッチパネル付ディスプレイ４１に表示し、待機する。利用者は、第２レシート１３に印刷されたバーコード１７により、注文識別情報をプリント端末５に入力する（ステップＳ３０２）。
【００６２】
図１４は、上記のメニュー画面を示す図である。
メニュー画面３００としては、第２レシート１３に印刷されたバーコード１７を、プリント端末５のバーコードリーダ４２にかざすよう利用者に促す画面が表示される。
【００６３】
利用者が、第２レシート１３のバーコード１７をバーコードリーダ４２にかざすと、バーコードリーダ４２はバーコードを読み取り、注文識別情報を取得する。これにより、プリント端末５の制御部５１は、利用者が印刷注文した画像データを特定することができる。プリント端末５の制御部５１は、これから印刷する内容を案内画面としてタッチパネル付ディスプレイ４１に表示するようにしてもよい。
【００６４】
なお、注文識別情報がパスワードとして印刷された第２レシート１３ａを使用する場合には、図１５に示すメニュー画面３００ａを表示する。
メニュー画面３００ａには、アルファベットや数字のボタンが表示されている。利用者は、第２レシート１３ａに印刷されているパスワード１９を、アルファベットや数字のボタンをタッチすることにより入力する。プリント端末５の制御部５１は、入力されたパスワードを注文識別情報として、利用者が印刷注文した画像データを特定することができる。なお、この場合バーコードリーダ４２は不要である。
【００６５】
プリント端末５の制御部５１は、入力された注文識別情報に対応する画像データを印刷データに変換し、注文情報に従ってプリンタ５７により印刷を実行し、プリント物取出口４３に出力する（ステップＳ３０３）。プリント物の出力の終了により、利用者の１回の注文について、プリント端末５の処理が終了する。
プリント端末５は、稼働を終了するまで（ステップＳ３０４のＮｏ）、次の利用者の印刷を待ち、プリント端末５の稼働の終了（ステップ３０４のＹｅｓ）に伴い、処理を終了する。
【００６６】
以上説明したように、第１の実施形態の画像プリントシステム１では、受付端末３でプリント物の注文受付時、注文内容を印刷する第１レシート１１に、注文識別情報、およびプリント端末５と受付端末３のステータス情報をバーコードとして印刷し、課金時にレジ端末７で第１レシート１１のバーコードを読み取ることにより、レジ端末７上にプリント端末５と受付端末３のステータス情報を表示する。レジ端末７は、注文識別情報を第２レシート１３に印刷して出力し、利用者は、プリント端末５で第２レシート１３の注文識別情報を読み取らせ、画像データの印刷を注文情報に沿って実行する。
これにより、料金支払いを行うカウンタと、プリント端末５や受付端末３が離れた位置にあっても、カウンタの店員がプリント端末５まで移動することなく、プリント端末５や受付端末３の状態を容易に知ることができる。
また、プリント端末５等のステータス情報はバーコードとして暗号化して印刷するので、利用者にプリンタの状態が知られることがない。加えて、プリント端末５のステータス情報は、メディア残数やエラーステータスなどであるので、メディア切れやプリンタエラー等の状態が容易に把握でき保守管理に役立つ。
【００６７】
また、上記の実施形態では、受付端末３に内蔵したレシートプリンタ３７にてプリンタステータス情報７６等を印刷する例について示したが、プリンタステータス情報７６等の印刷手段としてはこれに限ることはない。
【００６８】
例えば、図１６（ａ）に示すように、画像プリントシステム１において、受付端末３とレジ端末７をネットワークを介して接続した構成とし、受付端末３による第１レシート１１の発行に合わせて、プリンタステータス情報７６等をレジ端末７に送信し、レジ端末７のレシートプリンタ６７により、第１の実施形態と同様にして、プリンタステータス情報７６等を第２レシート１３に印刷してもよい。なお、このような構成とした場合でも、第１の実施形態と同様、受付端末３のレシートプリンタ３７にて第１レシート１１にプリンタステータス情報７６等を印刷することができる。
【００６９】
加えて、図１６（ｂ）に示すように、画像プリントシステム１において、１または複数の受付端末３とネットワークを介して接続したレシートプリンタ３７を別体として設置し、第１レシート１１を発行するようにしてもよい。この場合、第１の実施形態と同様、レシートプリンタ３７により第１レシート１１を発行する際にプリンタステータス情報７６等を印刷することができる。
【００７０】
また、図１６（ｃ）に示すように、画像プリントシステム１において、受付端末３とレジ端末７をネットワークを介して接続するとともに、受付端末３とネットワークを介して接続したレシートプリンタ３７を別体として設けた構成としてもよい。この場合、図１６（ａ）で説明したものと同様、第１レシート１１の発行に合わせて、レジ端末７により第２レシート１３にプリンタステータス情報７６等を印刷することもできるし、図１６（ｂ）で説明したものと同様、レシートプリンタ３７により第１レシート１１を発行する際にプリンタステータス情報７６等を印刷することもできる。
【００７１】
以上の各構成においても、カウンタの店員は移動することなく、第１のレシート１１または第２のレシート１３によりプリント端末５等の状態を容易に知ることができ第１の実施形態と同様の効果が得られる。
【００７２】
次に、図１７から図１９を参照しながら、第２の実施形態の画像プリントシステムについて説明する。
図１７は、第２の実施形態の画像プリントシステム２のシステム構成図である。
店舗等に設置される画像プリントシステム２は、１または複数の注文受付プリント端末６（受付端末）と、レジ端末７を有する。
【００７３】
図１８は注文受付プリント端末６の外観斜視図である。
注文受付プリント端末６には、第１の実施形態の受付端末３のタッチパネル付ディスプレイ２１、メディア挿入口２２、レシート取出口２３と同様の、タッチパネル付ディスプレイ９１、メディア挿入口９７、レシート取出口９６が配置される。また、第１の実施形態のプリント端末５のバーコードリーダ４２、プリント物取出口４３、ドア開閉キー４４、メンテナンスキー４５と同様の、バーコードリーダ９２、プリント物取出口９３、ドア開閉キー９４、メンテナンスキー９５が配置される。また、第１の実施形態と同様、筺体内には、注文受付プリント端末６の各構成部分を制御するための制御部を含むパーソナルコンピュータや、電圧の変換を行う電源ボックス、停電時に制御部のＣＰＵやハードディスク等の破損を防ぐ無停電電源装置等が設けられる。
【００７４】
図１９は、注文受付プリント端末６のハードウエア構成図である。
注文受付プリント端末６は、制御部８１、記憶部８２、入出力部８３、通信部８４、各種メディア読取部８５、表示部８６、バーコードリーダ８７、レシートプリンタ８８、プリンタ８９等がバス９０を介して接続される。
【００７５】
制御部８１は、ＣＰＵ、ＲＡＭ、ＲＯＭ等で構成され、記憶部８２に格納されたプログラムやデータに従って、バス９０を介して接続された各装置を駆動制御する。
記憶部８２には、制御部８１が実行する、画像入力プログラム、レシート印刷処理プログラム、プリンタ制御用プログラム、保守プログラム等のプログラムや、プログラム実行に必要な、画像データ、プリンタ等のステータス情報、各種制御データ等のデータ、またＯＳ等が格納されている。
【００７６】
入出力部８３は、ＣＤ−ＲＯＭドライブ装置、キーボード、マウス等であり、記憶部８２に格納されているプログラム等の更新や設定等を行うメンテナンス時に用いられる。
通信部８４は、通信制御装置、通信ポート等を有する、ネットワークを介した通信を媒介する通信インタフェースである。
【００７７】
各種メディア読取部８５は、利用者が持参した各種メディアに予め記憶されている画像データを読み込む。
表示部８６は、タッチパネル付ディスプレイ９１である。表示部８６は、利用者に対して、操作案内等を表示する。
バーコードリーダ８７は、第２レシート１３上に印刷されたバーコードを読み取る。
レシートプリンタ８８は、レシート取出口９６に対応して注文受付プリント端末６の内部に設けられ、第１レシート１１の印刷を行う。
プリンタ８９は注文受付プリント端末６の筺体内に設置され、例えば、画像データを印刷するためのプリンタ複数台よりなる。
【００７８】
レジ端末７は、第１の実施形態の画像プリントシステム１のレジ端末７と同様である。
【００７９】
注文受付プリント端末６の機能構成は第１の実施形態の受付端末３とほぼ同様であり、画像プリントシステム２の処理動作も、第１の実施形態の画像プリントシステム１とほぼ同様である。ただし、注文受付プリント端末６はプリンタ８９を備え、画像プリントシステム２では、注文受付プリント端末６にて、印刷注文の受付に加え、印刷注文された画像データの印刷を行う。
【００８０】
即ち、注文受付プリント端末６は、制御部８１の制御によりプリンタ８９からプリンタのエラーステータス、メディア残数、紙詰まり、リボン切れ、カッタによる用紙の切断不良等、プリンタのステータス情報（プリンタステータス情報７６）を受信して記憶部８２に記憶するとともに、注文受付プリント端末６（受付端末）のプリンタ８９以外の各部からステータス情報（受付端末ステータス情報７７）を受信して、例えば各種メディア読取部８５からドライブエラー情報を受信して、記憶部８２に記憶する。
【００８１】
そして、利用者が、注文受付プリント端末６に画像データ７５を入力し、印刷する画像データ、印刷サイズ、プリント枚数等の印刷注文を行うと、注文受付プリント端末６は、印刷注文に注文識別情報を割り当て、レシートプリンタ８８により、注文内容、徴収金額と共に、注文識別情報と、上記のステータス情報をバーコードとして印刷した第１レシート１１を出力する。
利用者は、第１レシート１１をレジ端末７が設置されているカウンタに持参し、料金を支払う。店員は、利用者から受け取った第１レシート１１上のバーコードをレジ端末７のバーコードリーダで読み取り、上記のステータス情報をレジ端末７の表示部６５に表示させる。また、レジ端末７は、プリント物を受け取るために必要な注文識別情報をバーコードとして第２レシート１３に印刷して出力する。利用者が注文受付プリント端末６で第２レシート１３上のバーコードを読み取らせると、注文受付プリント端末６は注文識別情報に対応する画像データの印刷を印刷サイズ、プリント枚数等の注文情報に沿って実行する。
【００８２】
従って、第２の実施形態の画像プリントシステム２でも、第１の実施形態と同様の効果が得られる。また、図１６で説明した変形例も同様に適用することができる。
なお、画像プリントシステム２において、上記のステータス情報等の印刷は、（利用者のプリント物とは別の）プリント用紙に印刷するようにしてもよい。また、プリント物を提示してプリント料金を支払うような運用とする場合は、注文受付プリント端末６のプリンタ８９により、利用者のプリント物の隅部や裏面などに印刷することもできる。
【００８３】
以上、添付図面を参照しながら本発明にかかる画像プリントシステム等の好適な実施形態について説明したが、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００８４】
１、２………画像プリントシステム
３………受付端末
５………プリント端末
６………注文受付プリント端末
７………レジ端末
１１………第１レシート
１３、１３ａ………第２レシート
【図１】
0005780101.tif 000002
【図２】
0005780101.tif 000003
【図３】
0005780101.tif 000004
【図４】
0005780101.tif 000005
【図５】
0005780101.tif 000006
【図６】
0005780101.tif 000007
【図７】
0005780101.tif 000008
【図８】
0005780101.tif 000009
【図９】
0005780101.tif 000010
【図１０】
0005780101.tif 000011
【図１１】
0005780101.tif 000012
【図１２】
0005780101.tif 000013
【図１３】
0005780101.tif 000014
【図１４】
0005780101.tif 000015
【図１５】
0005780101.tif 000016
【図１６】
0005780101.tif 000017
【図１７】
0005780101.tif 000018
【図１８】
0005780101.tif 000019
【図１９】
0005780101.tif 000020